(57)【特許請求の範囲】
【請求項１】
底壁１から周壁２を起立して、該周壁上端部から蛇腹状の弾性伸縮筒３を介して上面閉塞で周壁２より小外径の押下げ筒４を起立し、更に底壁下面外周部から垂下筒５を、又底壁下面内周部から短筒６を、それぞれ垂設すると共に、これら垂下筒５と短筒６との間の底壁１部分に複数の空気流入孔７を、また短筒６が囲成する底壁１部分に複数の第１液流出孔８を、それぞれ穿設した容器本体Ａと、
上記短筒６内面へ外周面を嵌合させて容器体底壁１下面を閉塞する弁板１０中央部に透孔１１を穿設して、該透孔の外周縁部を上記第１液流出孔８下面を開閉自在な第１弾性弁部１２に形成し、更に弁板１０下面外周から下方大径の弾性テーパ筒１３を垂下して、該弾性テーパ筒を第２弾性弁部１５に形成した開閉弁体Ｂと、
上記容器本体周壁２外面へ着脱自在に嵌合させた嵌合筒部１７ａ、１７ｂ上端に付設した内向きフランジ１８内周部下面を上記弾性伸縮筒３上面へ載置し、更に嵌合筒部１７ａ下面を閉塞する底板２０上面を上記垂下筒５下面と弾性テーパ筒１３下端とのそれぞれへ当接させて、その底板２０中央部に第２液流出孔２１を穿設し、かつ該第２液流出孔の外周底板２０部分上面から上面開口の支持筒部２２を起立して、該支持筒部上面を上記第１弾性弁部１２よりも外周の弁板１０部分下面へ当接させると共に、その支持筒部周壁に吸気孔２３を穿設した把持筒Ｃとを有し、
上記第１弾性弁部１２は容器本体Ａ内の増圧により容器本体底壁１下面から下方へ離隔して、該第１液流出孔８と第２液流出孔２１とを連通させる開弁位置を有し、また上記第２弾性弁部２１は容器本体Ａ内が負圧化することにより把持筒底板２０上面から上方へ離隔して上記吸気孔２３を介して第２液流出孔２１と空気流入孔７とを連通させる閉弁位置を有する、
ことを特徴とする塗布容器。
【発明の詳細な説明】
【０００１】
【発明の属する技術分野】
本発明は液体や粘度が低いクリーム状物を塗布するための塗布容器に関する。
【０００２】
【従来の技術】
塗布容器として、胴部上端から口頸部を介して注出筒を起立する容器体と、口頸部外面へ嵌合させたキャップとを有し、塗布に際しては胴部を圧搾するか、または振出すものが知られている。
【０００３】
【発明が解決しようとする課題】
上記のような塗布容器では、バッグ内でキャップがゆるんだり、外れたりしたような場合に、容器から漏出した液体等が他の所持品に付着するおそれがあった。
また胴部を圧搾するものでは胴部が硬質材で形成されているため、一方、振出すものでは力の加減が容易ではなく、どちらの場合も注出量の調節が難しかった。
【０００４】
請求項１記載の塗布容器は、弾性伸縮筒を設けて注出量調節を容易にし、また負圧化時に、液流出孔を閉塞して空気流入孔を開く開閉弁体を設けて吸気を迅速化し、さらに使用時以外は液流出孔と空気流入孔とを閉塞させることによりキャップがゆるんだり、外れたりしても液体等が容器外に出ることがないようにする。
【０００５】
【課題を解決するための手段】
第１の手段として、底壁１から周壁２を起立して、該周壁上端部から蛇腹状の弾性伸縮筒３を介して上面閉塞で周壁２より小外径の押下げ筒４を起立し、更に底壁下面外周部から垂下筒５を、又底壁下面内周部から短筒６を、それぞれ垂設すると共に、これら垂下筒５と短筒６との間の底壁１部分に複数の空気流入孔７を、また短筒６が囲成する底壁１部分に複数の第１液流出孔８を、それぞれ穿設した容器本体Ａと、
上記短筒６内面へ外周面を嵌合させて容器体底壁１下面を閉塞する弁板１０中央部に透孔１１を穿設して、該透孔の外周縁部を上記第１液流出孔８下面を開閉自在な第１弾性弁部１２に形成し、更に弁板１０下面外周から下方大径の弾性テーパ筒１３を垂下して、該弾性テーパ筒を第２弾性弁部１５に形成した開閉弁体Ｂと、
上記容器本体周壁２外面へ着脱自在に嵌合させた嵌合筒部１７ａ、１７ｂ上端に付設した内向きフランジ１８内周部下面を上記弾性伸縮筒３上面へ載置し、更に嵌合筒部１７ａ下面を閉塞する底板２０上面を上記垂下筒５下面と弾性テーパ筒１３下端とのそれぞれへ当接させて、その底板２０中央部に第２液流出孔２１を穿設し、かつ該第２液流出孔の外周底板２０部分上面から上面開口の支持筒部２２を起立して、該支持筒部上面を上記第１弾性弁部１２よりも外周の弁板１０部分下面へ当接させると共に、その支持筒部周壁２に吸気孔２３を穿設した把持筒Ｃとを有し、
上記第１弾性弁部１２は容器本体Ａ内の増圧により容器本体底壁１下面から下方へ離隔して、該第１液流出孔８と第２液流出孔２１とを連通させる開弁位置を有し、また上記第２弾性弁部２１は容器本体Ａ内が負圧化することにより把持筒底板２０上面から上方へ離隔して上記吸気孔２３を介して第２液流出孔２１と空気流入孔７とを連通させる閉弁位置を有する。
【０００６】
【発明の実施の形態】
以下、本発明に係る塗布容器を図面に示す実施形態を参照しながら説明する。
図１において、Ａは容器本体で、底壁１から周壁２を起立して、該周壁上端部から蛇腹状の弾性伸縮筒３を介して上面閉塞で周壁２より小外径の押下げ筒４を起立する。
一方、底壁１下面外周から垂下筒５を垂下すると共に、底壁１下面内周部から、垂下筒５よりも上下長さが小さい短筒６を垂下して、これら垂下筒５と短筒６との間の底壁１部分に複数の空気流入孔７を周方向に等間隔をおいて穿設する。
さらに短筒６が囲成する底壁１部分の中央部下面を肉厚にして、該肉厚部の外周部分に複数の第１液流出孔８を周方向に等間隔をおいて穿設する。
なお、周壁２下端部を縮径して小外径部に形成し、該小外径部外面に雄ねじ９を形成する。
【０００７】
Ｂは開閉弁体で、短筒６内面と第１液流出孔８との間の環状溝１０ａ内へ弁板１０外周部を嵌合させると共に、その弁板１０中央部に透孔１１を穿設し、該透孔の外周縁部上面を薄肉にして、該薄肉部を第１液流出孔８下面を開閉自在な第１弾性弁部１２に形成する。
また弁板１０下面外周から下方大径の弾性テーパ筒１３を垂下し、さらに該弾性テーパ筒下端から径外方へ円形状の弾性肉薄板１４を突設して、これら弾性テーパ筒１３と弾性肉薄板１４とで第２弾性弁部１５を形成する。
【０００８】
Ｃは把持筒で、雄ねじ９へ雌ねじ１６を螺合させて第１嵌合筒部１７ａを容器本体周壁２下端部外面へ嵌合させ、さらに雄ねじ９よりも上方周壁２部分外面へ第２嵌合筒部１７ｂを嵌合させて、該第２嵌合筒部下端内面を第１嵌合筒部１７ａ上端外面へ凹凸の係合手段を介して着脱自在に嵌合させ、かつ第２嵌合筒部１７ｂ上端に付設した内向きフランジ１８内周部下面を弾性伸縮筒３上面へ載置して、その内向きフランジ１８内周上面から案内筒１９を起立する。
【０００９】
一方、第１嵌合筒部１７ａ下面を閉塞する底板２０上面を垂下筒５下面と弾性肉薄板１４下面とのそれぞれへ当接させて、その底板２０中央部に第２液流出孔２１を穿設し、該第２液流出孔内縁から流出筒２１ａを垂下する。
第２液流出孔２１の外周底板２０部分上面から上面開口の支持筒部２２を起立して、該支持筒部上面を、環状溝１０ａへ嵌合させた弁板１０部分下面へ当接させる。
さらに支持筒部２２周壁に上面開口の吸気用割溝２３を周方向に等間隔をおいて複数形成する。
【００１０】
本実施形態では、上記の如く、把持筒Ｃを第１嵌合筒部１７ａと第２嵌合筒部１７ｂとで形成し、かつこれらを互いに着脱自在に嵌合させると共に、第１嵌合筒部１７ａを容器本体Ａへ螺合させたので、第２嵌合筒部１７ｂを上方へ引っ張ることにより第１嵌合筒部１７ａから離脱させて容器本体Ａから容易に取り外すことができ、また第１嵌合筒部１７ａは容器本体Ａから下方へ螺脱させることが可能であり、従って、容器本体Ａのみの交換が容易に行える。
なお、２４はキャップで、第１嵌合筒部１７ａ下端外面へ嵌合させた周壁下端に付設した頂壁２５中央部下面から起立した閉栓筒２６を流出筒２１ａ内面へ着脱自在に嵌合させている。
【００１１】
次に本実施形態の作用について説明する。
液体等を塗布するには、キャップ２４を取り外した後、把持筒Ｃを持って押下げ筒４を押し下げればよく、すると弾性伸縮筒３が縮むことにより容器本体Ａ内が増圧する。容器本体内の増圧により、液体等が図２に矢印Ｘで示すように第１弾性弁部１２を下方へ押し下げて第１液流出孔８から流出し、さらに第２液流出孔２１から容器外へ流出する。
【００１２】
他方、容器本体内の増圧により液体等は空気流入孔７からも流出して第２弾性弁部１５を閉弁方向へ加圧するため、第１液流出孔８から流出した液体等が吸気用割溝２３から流入することにより第２弾性弁部１５を開いて容器本体Ａ内へ逆流することがない。
【００１３】
塗布後、押下げ筒４から手を離すと、伸縮筒３が伸びて容器本体Ａ内が負圧化するため、第１弾性弁部１２が第１液流出孔８を閉塞する一方、図３に矢印Ｙで示すように、第２液流出孔２１から流入した空気が吸気用割溝２３を通って弾性テーパ筒１３を外方へ弾性変形させ、さらに弾性肉薄板１４を底板２０から上方へ離間させて、空気流入孔７から容器本体Ａ内へ流入する。
【００１４】
【発明の効果】
請求項１記載の塗布容器は、周壁上端部から弾性伸縮筒を介して押下げ筒を起立するため、押下げ筒の押下げによる注出量調節が容易である。
また容器本体内が負圧化すると、液流出孔が閉塞して空気流入孔が開くため、容器体内への吸気が迅速に行われる。
さらに使用時以外は開閉弁体により液流出孔と空気流入孔とが閉塞されるため、キャップがゆるんだり、外れたりしても液体等が容器外に出ることがない。
さらに把持筒は容器本体へ着脱自在に嵌合させられているから、把持筒を容器本体から取り外すことにより容器本体のみを容易に交換することができる。
【図面の簡単な説明】
【図１】本発明に係る塗布容器の半断面図。
【図２】同じく、押下げ筒の押下げによる液体等注出時の状態を示す作用説明図。
【図３】同じく、押下げ筒から手を離した容器本体内負圧化時における吸気時の状態を示す作用説明図。
【符号の説明】
１  底壁
２  周壁
３  弾性伸縮筒
４  押下げ筒
５  垂下筒
６  短筒
７  空気流入孔
８  第１液流出孔
１０  弁板
１２  第１弾性弁部
１３  弾性テーパ筒
１５  第２弾性弁部
１７ａ、１７ｂ  嵌合筒部
１８  内向きフランジ
２０  底板
２１  第２液流出孔
２２  支持筒部
２３  吸気孔
Ａ  容器本体
Ｂ  開閉弁体
Ｃ  把持筒
【図１】
0003693815.tif 000002
【図２】
0003693815.tif 000003
【図３】
0003693815.tif 000004